(57)【特許請求の範囲】
【請求項１】
装置筐体を基準姿勢と該基準姿勢から所定角度を回転させた回転姿勢とのいずれに設置しても所期の動作をし得る電子機器における、複数動作に対応付けられて配置された複数の操作部材が設けられた操作パネル部を有する設置姿勢可変型の電子機器において、
前記装置筐体が前記基準姿勢と前記回転姿勢のいずれに設置されているかを特定する設置姿勢特定部と、
前記設置姿勢特定部によって基準姿勢設置が特定されたときの複数の前記操作部材のそれぞれの近傍に、前記機能選択部によって選択された機能を表現し得るように配設された第１指標部と、
前記設置姿勢特定部によって回転姿勢設置が特定されたときの複数の前記操作部材のそれぞれの近傍に、前記機能選択部によって選択された機能を表現し得るように配設された第２指標部と、
前記設置姿勢特定部によって基準姿勢設置が特定されたときに、複数の前記第１指標部を視認可能状態にすると共に、前記設置姿勢特定部によって回転姿勢設置が特定されたときに複数の前記第２指標部を視認可能状態に制御する表示制御部とを具備することを特徴とする設置姿勢可変型の電子機器。
【請求項２】
前記電子機器における複数動作に対する前記複数の操作部材の対応付けを、前記設置姿勢特定部によって回転姿勢設置が特定されたときの配置が、前記設置姿勢特定部によって基準姿勢設置が特性されたときの配置に対して略同様となるように選択する機能選択部を更に備えることを特徴とする請求項１に記載の設置姿勢可変型の電子機器。
【請求項３】
前記第１指標部および／または前記第２指標部は、照光式の表示部材で構成され、かつ前記表示制御部は、前記設置姿勢特定部によって基準姿勢設置が特定されたときに前記第１指標部を照光状態とし、前記設置姿勢特定部によって回転姿勢設置が特定されたときに前記第２指標部が照光状態に制御されるように構成したことを特徴とする請求項１記載の設置姿勢可変型の電子機器。
【請求項４】
前記第１指標部および／または前記第２指標部は、液晶表示部材で構成され、かつ前記表示制御部は、前記設置姿勢特定部によって基準姿勢の設置が特定されたときに前記第１指標部を表示状態とし、前記設置姿勢特定部によって回転姿勢の設置が特定されたときに前記第２指標部が表示状態に制御されるように構成したことを特徴とする請求項１記載の設置姿勢可変型の電子機器。
【請求項５】
前記設置姿勢特定部は、前記装置筐体の設置姿勢を検出する姿勢検出器を含んで構成されたことを特徴とする請求項１ないし請求項４のいずれかに記載の設置姿勢可変型の電子機器。
【請求項６】
前記設置姿勢特定部は、前記装置筐体の設置される姿勢を手動で特定する手動スイッチ部を含んで構成されたことを特徴とする請求項１ないし請求項４のいずれかに記載の設置姿勢可変型の電子機器。
【請求項７】
前記第２指標部は、前記基準姿勢に対する回転角度が略９０度と略２７０度の少なくとも１つの回転角度に対応して設けるように構成することを特徴とする請求項１ないし請求項６のいずれかに記載の設置姿勢可変型の電子機器。
【請求項８】
前記第２指標部は、前記基準姿勢に対する回転角度が略１８０度の回転角度に対応して設けるように構成することを特徴とする請求項１ないし請求項６のいずれかに記載の設置姿勢可変型の電子機器。
【請求項９】
前記操作部材に対応する前記第１指標部の表示と前記第２指標部の表示を複合させて１つの指標部を構成することを特徴とする請求項１ないし請求項８のいずれかに記載の設置姿勢可変型の電子機器。
【発明の詳細な説明】
【０００１】
【発明の属する技術分野】
本発明は、設置姿勢可変型の電子機器に関し、特に、装置筐体を基準姿勢とこの基準姿勢から所定角度を回転させた回転姿勢とのいずれに設置しても所期の動作をし得る電子機器における複数動作に対応付けられて配置された複数の操作部材が設けられた操作パネル部を有する設置姿勢可変型の電子機器に関する。
【０００２】
【従来の技術】
装置筐体を基準姿勢と回転姿勢とのいずれに設置しても所期の動作をし得る設置姿勢可変型の電子機器は、オーディオアンプ、カセットテーププレーヤ、ＣＤプレーヤ等のオーディオ機器のみならずＣＤドライブ装置等のコンピュータ機器等々の広範囲の電子技術分野に亘った多種多様な製品がある。
このような電子機器の正面に配設された操作パネル部には、電子機器における多種多様の複数動作に対応付けられて配置された複数の操作部材が設けられ、これらの操作部材を手動で押操作することによって当該電子機器に対して所定の動作指令を与えることができる。
【０００３】
かかる設置姿勢可変型の電子機器は、ＣＤドライブ装置の場合を例にすれば、図６に示すように水平な基準姿勢で設置された電子機器の正面に配設された操作パネル部１にＣＤドライブ部２のディスク挿入／排出用の開口が位置され、その右方に第１操作部材３〜第４操作部材６が正方形配置され、それぞれの上方に指標部３ａ〜指標部６ａが配設されている。
【０００４】
この指標部３ａは、第１操作部材３に割り付けられた動作指令を表現する文字表示で形成され、例えば「ディスク排出」なる文字が刻印や印刷手段でもって形成されている。この文字表示は、電子機器が基準姿勢にされたときに正規の上下左右方向になるように配置されている。また、他の指標部４ａ〜指標部６ａも同様にして第２操作部材４〜第４操作部材６のそれぞれに割り付けられた動作指令を表現する文字表示とされている。
【０００５】
従って、電子機器を基準姿勢に設置して使用する場合には、操作パネル部１に設けられた指標部３ａ〜指標部６ａの表示文字を視認して第１操作部材３〜第４操作部材６のいずれかを押操作することによって電子機器（ＣＤドライブ装置）に適宜の動作を行なわせることができる。
【０００６】
一方、基準姿勢に設置されている電子機器を所定の角度、例えば９０度回転させた状態で機器筐体を設置した回転姿勢で使用する場合には、４つの第１操作部材３〜第４操作部材６の配置の上下左右方向が基準姿勢の場合に比して異なった状態で、指標部３ａ〜指標部６ａの表示文字を視認して第１操作部材３〜第４操作部材６のいずれかを押操作することによって電子機器（ＣＤドライブ装置）に適宜の動作を行なわせることができる。
【０００７】
また、指標部３ａ〜指標部６ａは、表示文字を付す代わりに絵表示で行われたり、指標部３ａ〜指標部６ａを操作パネル部１の表面に形成せずに第１操作部材３〜第４操作部材６の釦頭部等に直接に表示する場合がある。さらに。回転姿勢としては、前述のように基準姿勢から９０度の回転がされる場合のみならず、２７０度の回転や１８０度の回転がされても所期の動作を行うことができるようにした設置姿勢可変型の電子機器もある。
【０００８】
【発明が解決しようとする課題】
以上のような従来の設置姿勢可変型の電子機器は、基準姿勢にされている操作パネル部に配列されている複数の操作部材の上下左右の関係が、回転姿勢にされることによって変化するために、基準姿勢での操作と回転姿勢での操作を同一に行うことができず、基準姿勢での押操作に慣れたユーザーが回転姿勢での押操作に違和感を持ち直観的に押操作を行うことができないという問題がある。
【０００９】
また、複数の操作部材のそれぞれの近傍に設けられている指標部が文字表示であった場合には、回転姿勢にされることによって上下が逆になったり左右が逆になってしまうために非常に読みずらく、迅速な操作を行うことができなかったり誤操作してしまう虞がある。この虞は、指標部を文字表示ではなく絵柄表示することによって解消される可能性もあるが、上下左右が異なっても同じ指標イメージをユーザーに与えるような絵柄を全ての動作指令に対応して作成することは不可能に近い。
【００１０】
また、操作部材による動作指令が例えばオーディオアンプにおける音量設定である場合、上方に位置する操作部材に音声出力の増加（＋）を割り振り、下方に位置する操作部材に音声出力の減少（−）を割り振った場合には、基準姿勢では特に違和感なくユーザーが操作することができるものの、回転姿勢で当該操作部材の位置が上下逆にされたときには、下方の操作部材で音声出力の増加を指令し上方の操作部材で音声出力の減少を指令することになるので、一般的に普及している操作と逆になってしまい、ユーザーが違和感を感じてしまう。
【００１１】
これに類似した例として、操作部材による動作指令が例えばＣＤプレーヤの順方向早送り再生と逆方向早送り再生である場合には、右方の操作部材が順方向早送り再生に機能設定され、左方の操作部材が逆方向早送り再生に機能設定されることが一般的に普及している操作部材配列であるが、装置筐体が回転姿勢で設置されることによって左右が逆転して配置されてしまったり、上下に配置されてしまうために順方向および逆方向の早送り再生の方向を直観的に把握できずユーザーが違和感を与えてしまうという問題もある。
【００１２】
そこで、本発明の目的は、設置姿勢可変型の電子機器において、基準姿勢と回転姿勢のいずれで設置されたときにも複数の操作部材の動作指令の配置が変化することなく、複数の操作部材に割り付けられた動作が、基準姿勢と回転姿勢のいずれで設置されたときにも変化することがなくユーザーが快適な操作を行うことができる設置姿勢可変型の電子機器を提供することにある。
【００１３】
【課題を解決するための手段】
前述の課題を解決するため、本発明による設置姿勢可変型の電子機器は、次のような特徴的構成を採用している。
（１）装置筐体を基準姿勢と該基準姿勢から所定角度を回転させた回転姿勢とのいずれに設置しても所期の動作をし得る電子機器における、複数動作に対応付けられて配置された複数の操作部材が設けられた操作パネル部において、前記装置筐体が前記基準姿勢と前記回転姿勢のいずれに設置されているかを特定する設置姿勢特定部と、前記設置姿勢特定部によって基準姿勢設置が特定されたときの複数の前記操作部材のそれぞれの近傍に、前記機能選択部によって選択された機能を表現し得るように配設された第１指標部と、前記設置姿勢特定部によって回転姿勢設置が特定されたときの複数の前記操作部材のそれぞれの近傍に、前記機能選択部によって選択された機能を表現し得るように配設された第２指標部と、前記設置姿勢特定部によって基準姿勢設置が特定されたときに、複数の前記第１指標部を視認可能状態にすると共に、前記設置姿勢特定部によって回転姿勢設置が特定されたときに複数の前記第２指標部を視認可能状態に制御する表示制御部とを具備する。
【００１４】
（２）前記（１）の電子機器における複数動作に対する前記複数の操作部材の対応付けを、前記設置姿勢特定部によって回転姿勢設置が特定されたときの配置が、前記設置姿勢特定部によって基準姿勢設置が特性されたときの配置に対して略同様となるように選択する機能選択部を更に備える。
【００１５】
（３）前記（１）の第１指標部および／または前記第２指標部を、照光式の表示部材で構成され、かつ前記表示制御部は、前記設置姿勢特定部によって基準姿勢設置が特定されたときに前記第１指標部を照光状態とし、前記設置姿勢特定部によって回転姿勢設置が特定されたときに前記第２指標部が照光状態に制御されるように構成する。
【００１６】
（４）前記（１）の第１指標部および／または前記第２指標部を、液晶表示部材で構成され、かつ前記表示制御部は、前記設置姿勢特定部によって基準姿勢の設置が特定されたときに前記第１指標部を表示状態とし、前記設置姿勢特定部によって回転姿勢の設置が特定されたときに前記第２指標部が表示状態に制御されるように構成する。
【００１７】
（５）前記（１）ないし前記（４）のいずれかの設置姿勢特定部を、前記装置筐体の設置姿勢を検出する姿勢検出器を含んで構成する。
【００１８】
（６）前記（１）ないし前記（４）のいずれかの設置姿勢特定部を、前記装置筐体の設置される姿勢を手動で特定する手動スイッチ部を含んで構成する。
【００１９】
（７）前記（１）ないし前記（６）のいずれかの第２指標部を、前記基準姿勢に対する回転角度が略９０度と略２７０度の少なくとも１つの回転角度に対応して設けるように構成する。
【００２０】
（８）前記（１）ないし前記（６）のいずれかの第２指標部を、前記基準姿勢に対する回転角度が略１８０度の回転角度に対応して設けるように構成する。
【００２１】
（９）前記（１）ないし前記（８）のいずれかの操作部材に対応する前記第１指標部の表示と前記第２指標部の表示を複合させて１つの指標部を構成する。
【００２２】
【発明の実施の形態】
以下、本発明の実施の形態について添付図面、特に図１〜図５を参照しながら説明する。図１は、本発明による設置姿勢可変型の電子機器の一実施の形態をＣＤドライブ装置に適用した場合の基準姿勢と回転姿勢を合わせて表現した正面図であり、水平な基準姿勢で設置された電子機器の正面に配設された操作パネル部７にＣＤドライブ部８のディスク挿入／排出用の開口が位置され、その右方に第１操作部材９〜第４操作部材１２が正方形配置され、それぞれの上方に第１指標部９ａ〜第１指標部１２ａが配設され、第１操作部材９〜第４操作部材１２のそれぞれの左辺方向に第２指標部９ｂ〜第２指標部１２ｂが配設されている。
【００２３】
第１指標部９ａ〜第１指標部１２ａは、基準姿勢設置が特定されたときの第１操作部材９〜第４操作部材１２のそれぞれの近傍に、後述の機能選択部１６によって選択された機能を表現し得るように配設されたもので、第２指標部９ｂ〜第２指標部１２ｂのそれぞれは、回転姿勢設置が特定されたときの第１操作部材９〜第４操作部材１２のそれぞれの近傍に、後述の機能選択部１６によって選択された機能を表現し得るように配設されたものである。
【００２４】
第１指標部９ａ〜第１指標部１２ａと第２指標部９ｂ〜第２指標部１２ｂのそれぞれは、シルク印刷技術を用いて形成され、その後部に発光部（図示せず）が配置され、当該発光部を点灯させたときに表示文字を視認可能とし、発光部が消灯させたときには視認不能となるように多層で膜形成されている。
【００２５】
設置姿勢可変型の電子機器の回路構成においては、図２に示すブロック図のように、ＣＤドライブ部８を制御する本来機能を含めて装置全体を複合的に制御するためのＣＰＵ１３が設けられている。このＣＰＵ１３には、設定スイッチ１４、操作部材マトリクス１５、機能選択部１６、表示制御部１７が接続されている。
【００２６】
設定スイッチ１４は、装置筐体が基準姿勢と回転姿勢のいずれに設置されているかを特定する設置姿勢特定部であって、設置姿勢を手動で特定する手動スイッチ部を含んで構成されている。また、装置筐体の設置姿勢を水銀スイッチ等で検出する姿勢検出器で構成してもよい。
【００２７】
操作部材マトリクス１５は、第１操作部材９〜第４操作部材１２をマトリクス形成したもので、機能選択部１６は、電子機器における複数動作に対する複数の操作部材（第１操作部材９〜第４操作部材１２）の対応付けを、設置姿勢特定部（設定スイッチ１４）によって回転姿勢設置が特定されたときの配置が、基準姿勢設置が特定されたときの配置に対して略同様となるように選択するように構成されている。
【００２８】
表示制御部１７は、設定スイッチ１４によって基準姿勢設置が特定されたときに、第１指標部９ａ〜第１指標部１２ａを視認可能状態にし、第２指標部９ｂ〜第２指標部１２ｂを視認不能状態にすると共に、設定スイッチ１４によって回転姿勢設置が特定されたときに第２指標部９ｂ〜第２指標部１２ｂを視認可能状態にし、第１指標部９ａ〜第１指標部１２ａを視認不能状態に制御するように構成されている。
【００２９】
以上のように構成された設置姿勢可変型の電子機器において、電子機器を基準姿勢（水平姿勢）に設置して使用する場合には、設定スイッチ１４を手動で基準姿勢側に操作セットしたことがＣＰＵ１３で検知され、機能選択部１６によって操作部材マトリクス１５からの入力の意味付け、即ち、第１操作部材９〜第４操作部材１２のそれぞれの動作指令の機能が割り振られて、押操作された操作部材による動作機能が実行されるように設定される。
【００３０】
これと同時に表示制御部１７が作動して第１指標部９ａ〜第１指標部１２ａを視認可能状態、即ち点灯状態とし、第２指標部９ｂ〜第２指標部１２ｂを視認不能状態、即ち消灯状態とされる。
【００３１】
よって、第１操作部材９〜第４操作部材１２の第１指標部９ａ〜第１指標部１２ａは、図３に示すようにそれぞれ文字表示される。なお、実際の表示文字は「ディスク排出」等の文字であるが説明上Ａ，Ｂ，Ｃ，Ｄと記載する。また、第２指標部９ｂ〜第２指標部１２ｂは消灯状態とされその文字は視認不能とされている。
【００３２】
従って、第１指標部９ａ〜第１指標部１２ａの表示を見ながら第１操作部材９〜第４操作部材１２のいずれかを押操作すると、操作部材マトリクス１５からＣＰＵ１３への信号入力がなされ、機能選択部１６によって設定されている機能がＣＤドライブ部８に対して適宜の実行動作を行なわせることができる。
【００３３】
一方、基準姿勢に設置されている電子機器を所定の角度、９０度回転させた状態で機器筐体を設置した回転姿勢で使用する場合には、設定スイッチ１４を手動で回転姿勢側に操作セットしたことがＣＰＵ１３で検知され、機能選択部１６によって操作部材マトリクス１５からの入力の意味付け、即ち、第１操作部材９〜第４操作部材１２のそれぞれの動作指令の機能が割り振られて、押操作された操作部材による動作機能が実行されるように設定される。
【００３４】
即ち、基準姿勢のときに第１操作部材９に設定された機能が第３操作部材１１に設定され、第２操作部材１０に設定された機能が第１操作部材９に設定され、第３操作部材１１に設定された機能が第４操作部材１２に設定され、第４操作部材１２に設定された機能が第２操作部材１０に設定される。
【００３５】
換言すれば、装置筐体が基準姿勢のときと回転姿勢のときに第１操作部材９〜第４操作部材１２の上下左右方向の位置が変化しても、操作機能の配列としては変化せず、詳しくは、基準姿勢のときに左上位置にある第１操作部材９に割り振られた機能と、回転姿勢のときに左上位置にある第３操作部材１１に割り振られた機能とが同一機能であり、同様に他の「第２操作部材１０〜第４操作部材１２」においても同一機能とされるのである。
【００３６】
これと同時に表示制御部１７が作動して第２指標部９ｂ〜第２指標部１２ｂを視認可能状態、即ち点灯状態とし、第１指標部９ａ〜第１指標部１２ａを視認不能状態、即ち消灯状態とされる。
【００３７】
その結果、第１操作部材９〜第４操作部材１２の第２指標部９ｂ〜第２指標部１２ｂは、図３に示すようにそれぞれ文字表示され，第１指標部９ａ〜第１指標部１２ａは消灯状態とされその文字は視認不能とされている。
【００３８】
従って、第２指標部９ｂ〜第２指標部１２ｂの表示を見ながら第１操作部材９〜第４操作部材１２のいずれかを押操作すると、操作部材マトリクス１５からＣＰＵ１３への信号入力がなされ、機能選択部１６によって設定されている機能がＣＤドライブ部８に対して適宜の実行動作を行なわせることができる。
【００３９】
さて、装置筐体が基準姿勢と９０度回転された回転姿勢とを採る前述例の他に、基準姿勢と９０度回転した第１の回転姿勢と２７０度回転した第２の回転姿勢との３種の姿勢で設置されても所期の動作を行わせることができる設置姿勢可変型の電子機器の場合には、図４に示すように、図１に示す構成に第１操作部材９〜第４操作部材１２のそれぞれの右部近傍に第３指標部９ｃ〜第３指標部１２ｃを追加して構成すればよい。
【００４０】
このような構成追加に伴って図２に示す回路の設定スイッチ１４を基準姿勢と第１の回転姿勢と第２の回転姿勢との３種の設定を行うように変更し、機能選択部１６を前述の「３種の設定」に対応して３種の機能選択、即ち、基準姿勢と第１の回転姿勢と第２の回転姿勢とのそれぞれにおける機能選択を行うように変更して構成すればよい。
【００４１】
上述のように構成することによって、装置筐体が基準姿勢にされた場合と第１の回転姿勢にされた場合には、前述例における「基準姿勢と回転姿勢のそれぞれによる動作」と同様に図４と図５に示すように動作し、第２の回転姿勢にされたときには、設定スイッチ１４を手動で第２の回転姿勢に操作セットしたことがＣＰＵ１３で検知され、機能選択部１６によって操作部材マトリクス１５からの入力の意味付け、即ち、第１操作部材９〜第４操作部材１２のそれぞれの動作指令の機能が割り振られて、押操作された操作部材による動作機能が実行されるように設定される。
【００４２】
この割振りは、第２操作部材１０の第３指標部１０ｃにＡなる表示機能であり、第３操作部材１２の第３指標部１２ｃにＢなる表示機能であり、第１操作部材９の第３指標部９ｃにＣなる表示機能であり、第３操作部材１１の第３指標部１１ｃにＤなる表示機能である。
【００４３】
これと同時に表示制御部１７が作動して第３指標部９ｃ〜第３指標部１２ｃを視認可能状態、即ち点灯状態とし、「第１指標部９ａ〜第１指標部１２ａ」と「第２指標部９ｂ〜第２指標部１２ｂ」とを視認不能状態、即ち消灯状態とされる。よって、第１操作部材９〜第４操作部材１２の第３指標部９ｃ〜第３指標部１２ｃは、図５に示すようにそれぞれ文字表示され，「第１指標部９ａ〜第１指標部１２ａ」と「第２指標部９ｂ〜第２指標部１２ｂ」とはその文字が視認不能とされている。
【００４４】
従って、前述の「基準姿勢と第１の回転姿勢」における第１操作部材９〜第４操作部材１２による機能割振りの上下左右が変えられることのない、第３指標部９ｃ〜第３指標部１２ｃの表示を見ながら第１操作部材９〜第４操作部材１２のいずれかを押操作すると、操作部材マトリクス１５からＣＰＵ１３への信号入力がなされ、機能選択部１６によって設定されている機能がＣＤドライブ部８に対して適宜の実行動作を行なわせることができる。
【００４５】
なお、本発明は前述形態に限定されることなく、第１指標部１０ａ等々の多数の指標部は、表示文字を付す代わりに絵表示としたり、これらの表示を操作パネル部１の表面に形成せずに第１操作部材９〜第４操作部材１２の釦頭部等に直接に表示してもよい。また、回転姿勢としては、前述のように基準姿勢から９０度の回転がされる場合のみならず、２７０度の回転や１８０度の回転がされても所期の動作を行うことができるようにした電子機器にも対応させることができる。
【００４６】
また、指標部を液晶表示部材で構成し、かつ設置姿勢に応じて表示状態と非表示状態に切り替えるようにしたり、複数の発光ダイオードセグメントで形成される表示素子によって所望表示を行うようにしてもよく、前述の複数種（第１および第２指標部等）によるそれぞれの表示を複合させて１つの指標部を構成するものであってもよい。
【００４７】
さらに、本発明の対象とする設置姿勢可変型の電子機器は、ＣＤドライブ装置の場合のみならず、設置が基準姿勢と回転姿勢のいずれであっても所期の動作を行うことができる全ての電子機器に適用することができることは勿論である。
【００４８】
【発明の効果】
以上説明したように、本発明の設置姿勢可変型の電子機器によれば、基準姿勢にされている操作パネル部に配列されている複数の操作部材の上下左右の関係が、回転姿勢にされても変化することがなく、基準姿勢での操作と回転姿勢での操作を同一に行うことができ、基準姿勢での押操作と回転姿勢での押操作にが同一に行えるので直観的に押操作を行うことができる。
【００４９】
また、複数の操作部材のそれぞれの近傍に設けられている指標部が基準姿勢にされていても回転姿勢にされていても上下左右が変化することがなく、迅速な操作を行うことができ、動作指令が例えばオーディオアンプにおける音量設定である場合、上方に位置する操作部材に音声出力の増加（＋）を割り振り、下方に位置する操作部材に音声出力の減少（−）を割り振った場合に、基準姿勢と回転姿勢でその上下位置関係が変わらないので、一般的に普及している操作と同様に操作することができる。
【００５０】
従って、本発明によれば、設置姿勢可変型の電子機器において、基準姿勢と回転姿勢のいずれで設置されたときにも複数の操作部材の動作指令の配置が変化することなく、複数の操作部材に割り付けられた動作が、基準姿勢と回転姿勢のいずれで設置されたときにも変化することがなくユーザーが快適な操作を行うことができる設置姿勢可変型の電子機器を提供することができる。
【図面の簡単な説明】
【図１】本発明の一実施の形態による設置姿勢可変型の電子機器の操作パネル部の基準姿勢状態と回転姿勢状態のときを合わせて示す正面図である。
【図２】図１に示される設置姿勢可変型の電子機器の概略回路構成を示すブロック回路図である。
【図３】図１と図２に示される設置姿勢可変型の電子機器が基準姿勢状態と回転姿勢状態のそれぞれにされたときの表示状態を示す図である。
【図４】本発明の他実施の形態による設置姿勢可変型の電子機器の操作パネル部の基準姿勢状態と第１の回転姿勢状態と第２の回転姿勢状態のときを合わせて示す正面図である。
【図５】図５に示される設置姿勢可変型の電子機器が基準姿勢状態と第１の回転姿勢状態と第２の回転姿勢状態のそれぞれにされたときの表示状態を示す図である。
【図６】従来の設置姿勢可変型の電子機器の操作パネル部の基準姿勢状態と回転姿勢状態のときを合わせて示す正面図である。
【符号の説明】
７    操作パネル部
８    ＣＤドライブ部
９    第１操作部材
９ａ，１０ａ，１１ａ，１２ａ    第１指標部
９ｂ，１０ｂ，１１ｂ，１２ｂ    第２指標部
９ｃ，１０ｃ，１１ｃ，１２ｃ    第３指標部
１０    第２操作部材
１１    第３操作部材
１２    第４操作部材
１３    ＣＰＵ
１４    設定スイッチ
１５    操作部材マトリクス
１６    機能選択部
１７    表示制御部
【図１】
0003725728.tif 000002
【図２】
0003725728.tif 000003
【図３】
0003725728.tif 000004
【図４】
0003725728.tif 000005
【図５】
0003725728.tif 000006
【図６】
0003725728.tif 000007